(57)【要約】【課題】  クロストークや発熱の影響を防止して品質の向上を図ることができる液体噴射方法および液体噴射装置を提供する。【解決手段】  １列毎の印字データに対して対応するヘッドユニット４５の列毎に間隔を有するようにヘッドの駆動を制御し、間隔に応じて少なくとも１個の別ヘッドユニット４６を記録媒体の搬送方向に隣接させ、１ドットラインを複数のヘッドユニット４５，４６で形成する液体噴射方法および液体噴射装置１０。【選択図】      図３
2009012406.tif 000002
【特許請求の範囲】
【請求項１】
液体を噴射する複数のノズル開口を備えたヘッドユニットの液体噴射方法であって、
１列毎の噴射データに対して対応する各ヘッドユニットのノズル列毎に少なくとも隣接するノズル開口を同時使用しないようにヘッドユニットの駆動を制御し、ノズル列毎の同時使用のノズル開口間隔に応じて少なくとも１個の別ヘッドユニットを記録媒体の搬送方向に隣接させ、１ドットラインを複数のヘッドユニットで形成することを特徴とする液体噴射方法。
【請求項２】
請求項１記載の液体噴射方法であって、
前記ノズル列毎の同時使用のノズル開口間隔が、ノズル開口数でｎ個飛びの場合、前記別ヘッドユニットを記録媒体の搬送方向にｎ個配設させることを特徴とする液体噴射方法。
【請求項３】
請求項１記載の液体噴射方法であって、
前記ノズル列毎の同時使用のノズル開口間隔を、記録媒体の搬送方向に順次ずらすことを特徴とする液体噴射方法。
【請求項４】
液体を噴射する複数のノズル開口を備えた液体噴射装置であって、
１列毎の噴射データに対して対応し、ノズル列毎に隣接するノズル開口を同時使用しないヘッドユニットと、
前記ノズル列毎の同時使用のノズル開口間隔に応じて記録媒体の搬送方向に隣接された少なくとも１個の別ヘッドユニットと、
１ドットラインを複数の前記ヘッドユニットで形成するための制御手段と、
を備えることを特徴とする液体噴射装置。
【請求項５】
請求項４記載の液体噴射装置であって、
前記ノズル列毎の同時使用のノズル開口間隔が、ノズル開口数でｎ個飛びの場合、前記別ヘッドユニットを記録媒体の搬送方向にｎ個配設されていることを特徴とする液体噴射装置。
【発明の詳細な説明】
【技術分野】
【０００１】
本発明は、液体カートリッジ等から供給された液体を液滴として噴射する液体噴射方法および液体噴射装置に係り、詳しくは複数のインク吐出口を有するヘッドが記録媒体の幅方向に複数配設されたヘッドユニットを備えた液体噴射方法および液体噴射装置に関する。
【背景技術】
【０００２】
従来、複数のインク吐出口を有するヘッドが記録媒体の幅方向に複数配設されたヘッドユニットを備えた液体噴射装置が知られている。（例えば、特許文献１参照）。
【０００３】
上記特許文献１に開示された液体噴射方法および液体噴射装置は、副走査方向における必要離間寸法が部分描画ラインの長さのｐ倍であるときに、副走査方向の先頭からｍ番目までの吐出ヘッドを主走査方向に所定の配列パターンで配列されている。そして、副走査方向の先頭から（ｍ＋１）番目以降の各機能液滴吐出ヘッドをその配列パターンに従ってｍ番目までの機能液滴吐出ヘッドに対し副走査方向に列替えして配列することで、吐出ヘッドを、主走査方向にはｍ個配列するだけで、１の描画ラインとなるノズル列群を構成する。
【特許文献１】特開２００５−２３８８２１号公報
【発明の開示】
【発明が解決しようとする課題】
【０００４】
ところが、上記特許文献１に開示された液体噴射方法および液体噴射装置は、一つの吐出ノズル又は複数の吐出ノズルから液体を噴射する際に、液体が噴射される吐出ノズル同士の間隔が、例えば０．１ｍｍ程度に近接していると、吐出ノズル内に圧力変動が生じて、隣の吐出ノズルから液体が噴射してしまったり、噴射速度が影響を受けたりする、所謂、クロストークが起きる虞がある。
【０００５】
また、発熱部を有する液体噴射装置においては、連続して液体を噴射すると、液体噴射装置の全体および噴射される液体の温度が上昇して、液体としての特性に変動が生じたり、発熱部の冷却時間内に液体の噴射を行うことができなくなったりする虞がある。
【０００６】
そこで本発明は、上述した事情に鑑みてなされたものであり、その目的は、クロストークや発熱の影響を防止して品質の向上を図ることができる液体噴射方法および液体噴射装置を提供することにある。
【課題を解決するための手段】
【０００７】
上記課題を解決することのできる本発明に係る液体噴射方法は、液体を噴射する複数のノズル開口を備えたヘッドユニットの液体噴射方法であって、１列毎の噴射データに対して対応する各ヘッドユニットのノズル列毎に少なくとも隣接するノズル開口を同時使用しないようにヘッドユニットの駆動を制御し、ノズル列毎の同時使用のノズル開口間隔に応じて少なくとも１個の別ヘッドユニットを記録媒体の搬送方向に隣接させ、１ドットラインを複数のヘッドユニットで形成することを特徴としている。
【０００８】
この構成の液体噴射方法によれば、複数のヘッドユニットは、ノズル列毎において、隣接するノズル開口が同時的に駆動されず、１ドットラインを同時に駆動処理しない。これにより、液体が噴射されるノズル開口同士の間隔が例えば０．１ｍｍ程度に近接していたとしても、ノズル開口内に圧力変動を生じることがなくなるので、隣のノズル開口から液体が噴射してしまったり、噴射速度が影響を受けたりする、クロストークが起きない。これにより、クロストークや発熱の影響を防止して品質の向上を図ることができる。
【０００９】
また、前記ノズル列毎の同時使用のノズル開口間隔が、ノズル開口数でｎ個飛びの場合、前記別ヘッドユニットを記録媒体の搬送方向にｎ個配設させるようにすることが好ましい。
【００１０】
この構成によれば、別ヘッドユニットの個数が、同時使用のノズル開口間隔を形成するノズル開口の飛び数に対応しているので、簡単な制御でクロストークや発熱の影響を確実に防止することができる。  
【００１１】
また、前記ノズル列毎の同時使用のノズル開口間隔を、記録媒体の搬送方向に順次ずらすことが好ましい。
【００１２】
この構成によれば、複数のヘッドユニットは、それらのノズル列毎において、駆動されないノズル開口の位置が記録媒体の搬送方向に順次ずらされるので、記録媒体の搬送方向に、ノズル開口の休止時間が設定される。これにより、発熱を確実に抑制することができる。
【００１３】
上記課題を解決することのできる本発明に係る液体噴射装置は、液体を噴射する複数のノズル開口を備えた液体噴射装置であって、１列毎の噴射データに対して対応し、ノズル列毎に隣接するノズル開口を同時使用しないヘッドユニットと、前記ノズル列毎の同時使用のノズル開口間隔に応じて記録媒体の搬送方向に隣接された少なくとも１個の別ヘッドユニットと、１ドットラインを複数の前記ヘッドユニットで形成するための制御手段と、を備えることを特徴としている。
【００１４】
この構成の液体噴射装置によれば、前記制御手段により、複数のヘッドユニットのノズル列毎に、隣接するノズル開口を駆動させず、１ドットラインを同時に駆動処理しないようにする。これにより、液体が噴射されるノズル開口同士の間隔が例えば０．１ｍｍ程度に近接していたとしても、ノズル開口内に圧力変動を生じることがなくなるので、隣のノズル開口から液体が噴射してしまったり、噴射速度が影響を受けたりする、クロストークを確実に防止することができる。また、発熱部を有する液体噴射装置においては、連続して液体を噴射する際に、ノズル列毎に隣接するノズル開口が駆動されずに冷却時間を設定させることができる。これにより、クロストークや発熱の影響を防止して品質の向上を図ることができる。
【００１５】
また、前記ノズル列毎の同時使用のノズル開口間隔が、ノズル開口数でｎ個飛びの場合、前記別ヘッドユニットを記録媒体の搬送方向にｎ個配設されていることが好ましい。
【００１６】
この構成によれば、別ヘッドユニットの個数が、同時使用のノズル開口間隔を形成するノズル開口の飛び数に対応しているので、簡単な制御でクロストークや発熱の影響を確実に防止することができる。
【発明を実施するための最良の形態】
【００１７】
以下、図を参照して本発明の複数の好適な実施形態を説明する。
【００１８】
（第１実施形態）
図１乃至図３は本発明に係る液体噴射方法および液体噴射装置の第１実施形態を示すもので、図１は本発明の第１実施形態に係る液体噴射方法を用いた液体噴射装置の模式図、図２は図１の液体噴射装置におけるヘッドユニットの要部底面図、図３は図１の液体噴射装置の動作を説明する図２のヘッドユニットの拡大図である。
【００１９】
図１に示すように、液体噴射装置１は、記録媒体（記録紙）Ｓの幅と略同寸の記録範囲を有するヘッドユニット４５，４６（図２参照）を備えたラインヘッド式の画像記録装置１０に適用されている。
【００２０】
画像記録装置１０は、筐体１２の内部に、記録媒体Ｓを格納するトレイ１３と、記録媒体Ｓを所定の矢印Ｙ方向に搬送する搬送部１４と、記録媒体Ｓをヘッドユニット４５，４６へ供給するための供給部１５と、ヘッドユニット４５，４６を有する画像記録部１６と、これら各部の駆動制御を行う制御ユニット１７と、を備えている。
【００２１】
筐体１２は、例えば直方体状の箱形状に形成されている。筐体１２の側部には記録媒体Ｓを排出するための排出口１８が設けられ、この側部に対向する側部にはトレイ１３を着脱するためのトレイ着脱口１９が設けられている。
【００２２】
搬送部１４は、記録媒体Ｓを送る際の供給路を構成する記録媒体送りガイド２０と、記録媒体Ｓを挟みこんで送り出す記録媒体送りローラ対２１，２２と、プーリ２３，２４と、記録媒体送りモータ２５の駆動をプーリ２３，２４に伝達するためのベルト２６，２７と、を備え、筐体１２の内部における排出口１８寄りの下方に配設されている。
【００２３】
記録媒体送りガイド２０は、平板状に形成されており、ヘッドユニット４５，４６の下方に所定の間隔だけ離隔されて配設されている。
【００２４】
記録媒体送りローラ対２１，２２は、それぞれが互いに接触した１対のローラからなり、記録媒体送りガイド２０の両側である記録媒体の上流側と下流側とに配設されている。
【００２５】
記録媒体送りモータ２５は、記録媒体送りガイド２０の下方に配設されており、プーリ２３，２４と、プーリ２３，２４に掛け渡されたベルト２６，２７と、を介して記録媒体送りローラ対２１，２２に連結されている。
【００２６】
供給部１５は、記録媒体Ｓを搬送部１４へと供給するための供給ローラ２８と、歯車２９を回転駆動させる駆動源としての供給モータ３０と、この供給モータ３０によって回転駆動される歯車２９と、を備えており、搬送部１４に対してトレイ着脱口１９側に配設されている。
【００２７】
供給ローラ２８は、略半円筒形状に形成されており、トレイ着脱口１９側の記録媒体送りローラ対２１に近接して配設されている。
【００２８】
供給モータ３０は、供給ローラ２８の上方に配設されており、歯車２９を介して供給ローラ２８に連結されている。
【００２９】
トレイ１３は、例えばＡ４サイズの記録媒体Ｓを複数枚重ねて収納可能な箱状に形成され、底面の一端部には、ばね３１によって係止された記録媒体支え３２が設けられており、供給部１５の下方からトレイ着脱口１９にわたる空間に着脱自在に装着されている。
【００３０】
制御ユニット１７は、各種電子部品を内蔵した電子制御ユニット（ＥＣＵ）であり、ヘッドユニット４５，４６と、記録媒体送りモータ２５と、供給モータ３０と、に電気的に接続されており、これらの駆動を制御する。制御ユニット１７は、ヘッドユニット４５，４６の動作を主として司るヘッドユニット制御部３３を内蔵しており、トレイ１２の上方に配設されている。
【００３１】
ヘッドユニット４５，４６は、カートリッジケース３４に、例えば、シアン（Ｃ）、マゼンタ（Ｍ）、イエロー（Ｙ）、ブラック（Ｂ）の４色の液体（インク）カートリッジが装着されており、これら各色を吐出するためのノズル開口（図２参照）４１，４２，４３，４４，５１，５２，５３，５４が下方、すなわち、記録媒体送りガイド２０上に予め定められた隙間を空けた位置から記録媒体送りガイド２０に向けて開口されている。
【００３２】
図２に示すように、ヘッドユニットは、２個の、第１のヘッドユニット４５と、第２のヘッドユニット４６と、から構成されており、接続部Ｊ（図３参照）によって連結されている。
【００３３】
第１のヘッドユニット４５は、シアン色のノズル開口４１と、マゼンタ色のノズル開口４２と、イエロー色のノズル開口４３と、ブラック色のノズル開口４４と、が例えば０．１ｍｍ程度の間隔をおいて記録媒体Ｓの幅方向であるＸ方向に並んでノズル列４７，４８，４９，５０を構成している。
【００３４】
第２のヘッドユニット４６は、第１のヘッドユニット４５に平行にして予め定められた間隔をおいて配置されており、第１のヘッドユニット４５と同様に、シアン色のノズル開口５１と、マゼンタ色のノズル開口５２と、イエロー色のノズル開口５３と、ブラック色のノズル開口５４と、が例えば０．１ｍｍ程度の間隔をおいて記録媒体Ｓの幅方向であるＸ方向に並んでノズル列５５，５６，５７，５８を構成している。
【００３５】
次に、図１を含め、図３を参照して、液体噴射装置１を有する画像記録装置１０の液体噴射方法について説明する。
【００３６】
トレイ着脱口１９から複数枚の記録媒体Ｓが収納されているトレイ１３を装着した後に、電源が投入されることで、ばね３１の付勢力によって記録媒体支え３２が記録媒体Ｓの一端部を持ち上げる。これにより、記録媒体Ｓの一端部が供給ローラ２８に押し付けられる。そして、供給モータ３０の駆動によって供給ローラ２８が回転駆動されることにより、１枚の記録媒体Ｓがトレイ１３から記録媒体送りローラ対２１へと搬送される。
【００３７】
次に、記録媒体送りモータ２５の駆動によって記録媒体送りローラ対２１，２２が回転駆動され、記録媒体送りローラ２１がトレイ１３から搬送されてきた記録媒体Ｓを挟み込むことにより、記録媒体Ｓが記録媒体送りガイド２０へと搬送される。
【００３８】
そして、記録媒体Ｓが記録媒体送りガイド２０を上流側から下流側へと搬送されていく際に、ヘッドユニット制御部３３より与えられた指令信号によって、第１のラインヘドユニット４５の各ノズル開口４１，４２，４３，４５および第２のヘッドユニット４６の各ノズル開口５１，５２，５３，５４が選択的に駆動されて液体が記録媒体Ｓ上に滴下されて画像や印字が描画・印刷される。
【００３９】
このとき、図３に示すように、第１のヘッドユニット４５のノズル列４７におけるシアン色のノズル開口４１は、図３中のいちばん左側から、１番目４１Ａと、３番目４１Ｃと、５番目４１Ｅと、７番目４１Ｇと、にはヘッドユニット制御部３３からの指令信号が与えられず、図３中のいちばん左側から、２番目４１Ｂと、４番目４１Ｄと、６番目４１Ｆと、８番目４１Ｈと、にヘッドユニット制御部３３からの指令信号が与えられる。すなわち、ノズル開口４１は、ノズル列４７の全てが同時に駆動されず、ノズル列４７において１つ飛ばしで駆動される。
【００４０】
同時に、第１のヘッドユニット４５に記録媒体Ｓの搬送方向に並べられた第２のヘッドユニット４６のノズル列５５におけるシアン色のノズル開口５１は、図３中のいちばん左側から、２番目５１Ｂと、４番目５１Ｄと、６番目５１Ｆと、８番目５１Ｈと、にはヘッドユニット制御部３３からの指令信号が与えられず、図３中のいちばん左側から、１番目５１Ａと、３番目５１Ｃと、５番目５１Ｅと、７番目５１Ｇと、にヘッドユニット制御部３３からの指令信号が与えられる。すなわち、ノズル開口５１は、ノズル列５５の全てが同時に駆動されず、第１のヘッドユニット４５の駆動されないノズル開口４１Ａ，４１Ｃ，４１Ｅ，４１Ｇに対して、記録媒体Ｓの搬送方向に暫時ずれた１つ飛ばしで駆動される。
【００４１】
これらの駆動は、第１のヘッドユニット４５の他のノズル列４８，４９，５０におけるマゼンタ色のノズル開口４２、イエロー色のノズル開口４３、ブラック色のノズル開口４４、および、第２のヘッドユニット４６の他のノズル列５６，５７，５８におけるマゼンタ色のノズル開口５２、イエロー色のノズル開口５３、ブラック色のノズル開口５４も同様に制御される。
【００４２】
すなわち、第１のヘッドユニット４５と第２のヘッドユニット４６は、列毎に隣接するノズル開口４１Ａ，４１Ｃ，４１Ｅ，４１Ｇがそれぞれ駆動されないとともに、記録媒体Ｓの幅方向に配置されたノズル開口５１Ｂ，５１Ｄ，５１Ｆ，５１Ｈが駆動されない。
言い換えると、１列毎の印字データに対して対応する第１のヘッドユニット４５および第２のヘッドユニット４６の列毎に一定の間隔を有するようにヘッドの駆動を制御して、この間隔に応じて第２のヘッドユニット４６を記録媒体Ｓの搬送方向に隣接させて配置させる。これにより、１ドットラインを複数の第１のヘッドユニット４５および第２のヘッドユニット４６により形成するとともに、ノズル列４７，５５毎に、駆動されないノズル開口４１Ａ，４１Ｃ，４１Ｅ，４１Ｇ５１Ｂ，５１Ｄ，５１Ｆ，５１Ｈの位置を記録媒体Ｓの搬送方向に順次ずらして配置されている。
【００４３】
以上説明したように、本実施形態の液体噴射方法によれば、複数の第１のヘッドユニット４５および第２のヘッドユニット４６は、それらのノズル列４７〜５０，５５〜５８毎に、隣接するノズル開口４１Ａ，４１Ｃ，４１Ｅ，４１Ｇ，５１Ｂ，５１Ｄ，５１Ｆ，５１Ｈが同時に駆動されず、１ドットラインを同時に駆動処理しない。これにより、液体が噴射されるノズル開口４１Ａ〜４１Ｈ，５１Ａ〜５１Ｈ同士の間隔が、例えば０．１ｍｍ程度に近接していたとしても、ノズル開口４１Ａ〜４１Ｈ，５１Ａ〜５１Ｈ内に圧力変動を生じることがなくなるので、隣のノズル開口から液体が噴射してしまったり、噴射速度が影響を受けたりする、所謂、クロストークを防止することができる。また、発熱部を有する液体噴射装置においては、連続して液体を噴射する際に、ノズル列４７〜５０，５５〜５８毎に隣接するノズル開口４１Ａ，４１Ｃ，４１Ｅ，４１Ｇ，５１Ｂ，５１Ｄ，５１Ｆ，５１Ｈが駆動されずに冷却時間を設定させることができる。これにより、クロストークや発熱の影響を防止することができ品質の向上を図ることができる。
【００４４】
また、本実施形態の液体噴射方法によれば、複数の第１のヘッドユニット４５および第２のヘッドユニット４６は、それらのノズル列４７〜５０，５５〜５８毎に、駆動されない４１Ａ，４１Ｃ，４１Ｅ，４１Ｇ，５１Ｂ，５１Ｄ，５１Ｆ，５１Ｈの位置が記録媒体Ｓの搬送方向に順次ずらされる。これにより、記録媒体Ｓの搬送方向に、ノズル開口の休止時間が設定されるので、発熱を確実に抑制することができる。
【００４５】
また、本実施形態の液体噴射装置１０によれば、ヘッドユニット制御部３３は、複数の第１のヘッドユニット４５および第２のヘッドユニット４６のノズル列４７〜５０，５５〜５８毎に隣接するノズル開口４１Ａ，４１Ｃ，４１Ｅ，４１Ｇ，５１Ｂ，５１Ｄ，５１Ｆ，５１Ｈを駆動させず、１ドットラインを同時に駆動処理しない。これにより、液体が噴射されるノズル開口４１Ａ〜４１Ｈ，５１Ａ〜５１Ｈ同士の間隔が例えば０．１ｍｍ程度に近接していたとしても、ノズル開口４１Ａ〜４１Ｈ，５１Ａ〜５１Ｈ内に圧力変動を生じることがなくなるので、隣のノズル開口から液体が噴射してしまったり、噴射速度が影響を受けたりする、クロストークを防止することができる。また、発熱部を有する液体噴射装置においては、連続して液体を噴射する際に、ノズル列４７〜５０，５５〜５８毎に隣接するノズル開口４１Ａ，４１Ｃ，４１Ｅ，４１Ｇ，５１Ｂ，５１Ｄ，５１Ｆ，５１Ｈが駆動されずに冷却時間を設定させることができる。これにより、クロストークや発熱の影響を防止することができ品質の向上を図ることができる。
【００４６】
また、本実施形態の液体噴射装置１０によれば、ヘッドユニット制御部３３は、複数の第１のヘッドユニット４５および第２のヘッドユニット４６のノズル列４７〜５０，５５〜５８毎に駆動されないノズル開口４１Ａ，４１Ｃ，４１Ｅ，４１Ｇ，５１Ｂ，５１Ｄ，５１Ｆ，５１Ｈの位置を記録媒体Ｓの搬送方向に順次ずらす。これにより、記録媒体Ｓの搬送方向に、ノズル開口の休止時間が設定されるので、発熱を確実に抑制することができる。
【００４７】
（第２実施形態）
次に、図４および図５を参照して本発明に係る液体噴射方法および液体噴射装置の第２実施形態について説明する。図４は本発明の第２実施形態の液体噴射装置におけるヘッドユニットの要部底面図、図５は図３の液体噴射装置の動作を説明する図４のヘッドユニットの拡大図である。なお、以下の第２実施形態において、上述した第１実施形態と重複する構成要素や機能的に同様な構成要素については、図中に同一符号あるいは相当符号を付することによって説明を簡略化あるいは省略する。
【００４８】
図４に示すように、第２実施形態の液体噴射装置２は、ヘッドユニットが、３個の、第１のヘッドユニット４５と、第２のヘッドユニット４６と、第２のヘッドユニット４６に平行に予め定められた間隔をおいて配置された第３のヘッドユニット７１と、から構成されており、接続部Ｊによって連結されている。
【００４９】
第３のヘッドユニット７１は、第１のヘッドユニット４５および第２のヘッドユニット４６と同様にして、シアン色のノズル開口７２と、マゼンタ色のノズル開口７７３と、イエロー色のノズル開口７４と、ブラック色のノズル開口７５と、が例えば０．１ｍｍ程度の間隔をおいて記録媒体Ｓの幅方向であるＸ方向に並んでノズル列７６，７７，７８，７９が形成されている。
【００５０】
図５に示すように、画像記録装置１０は、その動作において、第１のヘッドユニット４５のノズル列４１におけるシアン色のノズル開口４１は、図５中のいちばん左側から、１番目４１Ａと、３番目４１Ｃと、４番目４１Ｄと、６番目４１Ｆと、７番目４１Ｇと、にはヘッドユニット制御部３３からの指令信号が与えられず、図５中のいちばん左側から、２番目４１Ｂと、５番目４１Ｅと、８番目４１Ｈと、にヘッドユニット制御部３３からの指令信号が与えられる。すなわち、ノズル開口４１は、ノズル列４７の全てが同時に駆動されず、ノズル列４７において２つ飛ばしで駆動される。
【００５１】
同時に、第２のヘッドユニット４６のノズル列５５におけるシアン色のノズル開口５１は、図５中のいちばん左側から、１番目５１Ａと、２番目５１Ｂと、４番目５１Ｄと、５番目５１Ｅと、７番目５１Ｇと、８番目５１Ｈと、にはヘッドユニット制御部３３からの指令信号が与えられず、図５中のいちばん左側から、３番目５１Ｃと、６番目５１Ｆと、にヘッドユニット制御部３３からの指令信号が与えられる。すなわち、ノズル開口５１は、ノズル列５５の全てが同時に駆動されず、第１のヘッドユニット４５の駆動されないノズル開口４１Ａ，４１Ｃ，４１Ｄ，４１Ｆ，４１Ｇに対して、記録媒体Ｓの搬送方向に暫時ずれた２つ飛ばしで駆動される。
【００５２】
同時に、第３のヘッドユニット７１のノズル列７６におけるシアン色のノズル開口７２は、図５中のいちばん左側から、２番目７２Ｂと、３番目７２Ｃと、５番目７２Ｅと、６番目７２Ｆと、８番目７２Ｈ、にはヘッドユニット制御部３３からの指令信号が与えられず、図５中のいちばん左側から、１番目７２Ａと、４番目７２Ｄと、７番目７２Ｇと、にヘッドユニット制御部３３からの指令信号が与えられる。すなわち、ノズル開口７２は、ノズル列７６の全てが同時に駆動されず、第２のヘッドユニット４７の駆動されないノズル開口５１Ａ，５１Ｂ，５１Ｄ，５１Ｅ，５１Ｇ，５１Ｈに対して、記録媒体Ｓの搬送方向に暫時ずれた２つ飛ばしで駆動される。
【００５３】
すなわち、第１のヘッドユニット４５と第２のヘッドユニット４６と第３のヘッドユニット７１は、列毎に隣接するノズル開口４１Ａ，４１Ｃ，４１Ｄ，４１Ｆ，４１Ｇが駆動されない。また、記録媒体Ｓの搬送方向に順次ずれて配置されたノズル開口５１Ａ，５１Ｂ，５１Ｄ，５１Ｅ，５１Ｇ，５１Ｈが駆動されず、記録媒体Ｓの搬送方向に順次ずれて配置されたノズル開口７２Ｂ，７２Ｃ，７２Ｅ，７２Ｆ，７２Ｈが駆動されない。
言い換えると、１列毎の印字データに対して対応する第１のヘッドユニット４５、第２のヘッドユニット４６および第３のヘッドユニット７１の列毎に間隔を有するようにヘッドの駆動を制御して、間隔に応じて第３のヘッドユニット７１を記録媒体Ｓの搬送方向に隣接させて配置させる。これにより、１ドットラインを複数の第１のヘッドユニット４５、第２のヘッドユニット４６および第３のヘッドユニット７１で形成するとともに、ノズル列４７，５５，７６毎に駆動されないノズル開口４１Ａ，４１Ｃ，４１Ｅ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈの位置を記録媒体Ｓの搬送方向に順次ずらして配置されている。
【００５４】
以上説明したように、本実施形態の液体噴射方法によれば、複数の第１のヘッドユニット４５、第２のヘッドユニット４６および第３のヘッドユニット７１は、それらのノズル列４７〜５０，５５〜５８，７６〜７９毎に、隣接するノズル開口４１Ａ，４１Ｃ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈが駆動されず、１ドットラインを同時に駆動処理しない。これにより、液体が噴射されるノズル開口４１Ａ〜４１Ｈ，５１Ａ〜５１Ｈ，７２Ａ〜７２Ｈ同士の間隔が、例えば０．１ｍｍ程度に近接していたとしても、ノズル開口４１Ａ〜４１Ｈ，５１Ａ〜５１Ｈ，７２Ａ〜７２Ｈ内に圧力変動を生じることがなくなるので、隣のノズル開口から液体が噴射してしまったり、噴射速度が影響を受けたりする、所謂、クロストークを防止することができる。また、発熱部を有する液体噴射装置においては、連続して液体を噴射する際に、ノズル列４７〜５０，５５〜５８，７６〜７９毎に隣接するノズル開口４１Ａ，４１Ｃ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈが駆動されずに冷却時間を設定させることができる。これにより、クロストークや発熱の影響を防止することができ品質の向上を図ることができる。
【００５５】
また、本実施形態の液体噴射方法によれば、複数の第１のヘッドユニット４５、第２のヘッドユニット４６および第３のヘッドユニット７１は、それらのノズル列４７〜５０，５５〜５８，７６〜７９毎に、駆動されない４１Ａ，４１Ｃ，４１Ｅ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈの位置が記録媒体Ｓの搬送方向に順次ずらされる。これにより、記録媒体Ｓの搬送方向にノズル開口の休止時間が設定されるので、発熱を確実に抑制することができる。
【００５６】
また、本実施形態の液体噴射装置１０によれば、ヘッドユニット制御部３３は、複数の第１のヘッドユニット４５、第２のヘッドユニット４６および第３のヘッドユニット７１のノズル列４７〜５０，５５〜５８，７６〜７９毎に隣接するノズル開口４１Ａ，４１Ｃ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈを駆動させず、１ドットラインを同時に駆動処理しない。これにより、液体が噴射されるノズル開口４１Ａ〜４１Ｈ，５１Ａ〜５１Ｈ，７２Ａ〜７２Ｈ同士の間隔が例えば０．１ｍｍ程度に近接していたとしても、ノズル開口４１Ａ〜４１Ｈ，５１Ａ〜５１Ｈ，７２Ａ〜７２Ｈ内に圧力変動を生じることがなくなるので、隣のノズル開口から液体が噴射してしまったり、噴射速度が影響を受けたりする、クロストークを防止することができる。また、発熱部を有する液体噴射装置においては、連続して液体を噴射する際に、ノズル列４７〜５０，５５〜５８，７６〜７９毎に隣接するノズル開口４１Ａ，４１Ｃ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈが駆動されずに冷却時間を設定させることができる。これにより、クロストークや発熱の影響を防止することができ品質の向上を図ることができる。
【００５７】
また、本実施形態の液体噴射装置１０によれば、ヘッドユニット制御部３３は、複数の第１のヘッドユニット４５、第２のヘッドユニット４６および第３のヘッドユニット７１のノズル列４７〜５０，５５〜５８，７６〜７９毎に駆動されないノズル開口４１Ａ，４１Ｃ，４１Ｄ，４１Ｆ，４１Ｇ，５１Ａ，５１Ｂ，５１Ｄ，５１Ｅ，５１Ｇ，５１Ｈ，７２Ｂ，７２Ｃ，７２Ｅ，７２Ｆ，７２Ｈの位置を記録媒体Ｓの搬送方向に順次ずらす。これにより、記録媒体Ｓの搬送方向にノズル開口の休止時間が設定されるので、発熱を確実に抑制することができる。
【００５８】
なお、本発明に係る液体噴射方法および液体噴射装置は、前述した実施形態に限定されるものではなく、適宜、変形や改良等が可能である。
【００５９】
例えば、ヘッドユニットは、上述した各実施形態のように、第１のヘッドユニット、第２のヘッドユニットの２個、或いは第１のヘッドユニット、第２のヘッドユニットおよび第３のヘッドユニットの３個に代えて、４個以上の複数個を配置するようにしても良い。
【図面の簡単な説明】
【００６０】
【図１】本発明の第１実施形態に係る液体噴射方法を用いた液体噴射装置の模式図である。
【図２】図１の液体噴射装置におけるヘッドユニットの要部底面図である。
【図３】図１の液体噴射装置の動作を説明する図２のヘッドユニットの拡大図である。
【図４】本発明の第２実施形態の液体噴射装置におけるヘッドユニットの要部底面図である。
【図５】図３の液体噴射装置の動作を説明する図４のヘッドユニットの拡大図である。
【符号の説明】
【００６１】
１…液体噴射装置、１０…画像記録装置、４５…第１のヘッドユニット（ヘッドユニット）、４６…第２のヘッドユニット（ヘッドユニット）、４７…ノズル列、４８…ノズル列、４９…ノズル列、５０…ノズル列、５５…ノズル列、５６  …ノズル列、５７…ノズル列、５８…ノズル列、７１…第３のヘッドユニット（ヘッドユニット）、７６…ノズル列、７７…ノズル列、７８…ノズル列、７９…ノズル列。
【図１】
2009012406.tif 000003
【図２】
2009012406.tif 000004
【図３】
2009012406.tif 000005
【図４】
2009012406.tif 000006
【図５】
2009012406.tif 000007